(57)【要約】  光拡散型光ファイバ及び光拡散型光ファイバを備える発光装置が開示される。一実施形態において、発光装置は、ベース、ベースに取り付けられた透明または半透明の外囲器、外囲器内に封入されたコイルフィラメントを含む光拡散型光ファイバ及び光拡散型光ファイバに光結合された光源を備える。コイルフィラメントは、ガラスコア、外表面及び、コイルフィラメントの外表面を通して光を散乱させるための、コイルフィラメント内に配された複数の光散乱構造体を有する。コイルフィラメントは、５０ｍｍより小さいターン半径において、０.５ｄＢ/ターンから１０.０ｄＢ/ターンの範囲にある損失を有する。
2016539486.tif 000002
【特許請求の範囲】
【請求項１】
発光装置において、
ベース、
前記ベースに取り付けられた透明または半透明の外囲器、
前記外囲器内に封入されたコイルフィラメントであって、ガラスコア、外表面及び、前記コイルフィラメントの前記外表面を通して光を散乱させるための、前記コイルフィラメント内に配された複数の光拡散構造体を有し、５０ｍｍより小さいターン半径において、０.５ｄＢ/ターンから１０.０ｄＢ/ターンの範囲にある損失を有するコイルフィラメントを含む光拡散型光ファイバ、
及び
光源であって、前記光源によって放射された光の少なくとも一部が前記光拡散型光ファイバに入り、前記複数の光散乱構造体によって散乱されて前記ガラスコアから前記コイルフィラメントの前記外表面を通って出るように、前記光拡散型光ファイバに光結合される光源、
を備えることを特徴とする発光装置。
【請求項２】
前記光源が発光ダイオードまたはレーザダイオードを含むことを特徴とする請求項１に記載の発光装置。
【請求項３】
前記ベースが電球ソケットへのねじ込みに適合されたねじ込口金を含むことを特徴とする請求項１または２に記載の発光装置。
【請求項４】
発光装置において、
コイルフィラメントであって、ガラスコア、外表面及び、前記コイルフィラメントの前記外表面を通して光を散乱させるための、前記コイルフィラメント内に配された複数の光拡散構造体を有し、５０ｍｍより小さいターン半径において、０.５ｄＢ/ターンから１０.０ｄＢ/ターンの範囲にある損失を有するコイルフィラメントを含む光拡散型光ファイバ、
を備えることを特徴とする発光装置。
【請求項５】
（ｉ）  前記コイルフィラメントが、前記コイルフィラメントの隣り合うコイルが相互に接していない、螺旋形状に構成される、または
（ii）  前記コイルフィラメントが、前記コイルフィラメントの隣り合うコイルの少なくとも１つの対が相互に接している、圧縮形状に構成される、または
（iii） 前記コイルフィラメントが数多くのコイルを有し、前記コイルフィラメントのコイルの直径が前記コイルフィラメントの長さにかけて変わる、
ことを特徴とする請求項１または４に記載の発光装置。
【請求項６】
（ｉ）  前記光拡散型光ファイバが第１のファイバ部及び第２のファイバ部をさらに有し、前記第１のファイバ部が前記コイルフィラメントの第１の末端に光結合され、前記第２のファイバ部が前記コイルフィラメントの第２の末端に光結合される、または
（ii）  前記発光装置が第１の光伝送ファイバ及び第２の光伝送ファイバをさらに備え、前記第１の光伝送ファイバが前記コイルフィラメントの第１の末端に光結合され、前記第２の光伝送ファイバが前記コイルフィラメントの第２の末端に光結合される、
ことを特徴とする請求項１、４または５に記載の発光装置。
【請求項７】
光拡散型光ファイバにおいて、ガラスコア、外表面及び、前記光拡散型光ファイバの前記外表面を通して光を散乱させるための、前記光拡散型光ファイバ内に配された複数の光拡散構造体を有し、前記光拡散型光ファイバが、５０ｍｍより小さいターン半径において、０.５ｄＢ/ターンから１０.０ｄＢ/ターンの範囲にある損失を有することを特徴とする光拡散型光ファイバ。
【請求項８】
前記光拡散型光ファイバの開口数が０.２より小さいことを特徴とする請求項１から６のいずれか１項に記載の発光装置及び請求項７に記載の光拡散型光ファイバ。
【請求項９】
（ｉ）  前記ターン半径が４ｍｍから３０ｍｍの範囲にある、及び／または
（ii）  前記光拡散型光ファイバが０.０２ｄＢ/ｍから１ｄＢ/ｍの範囲にあるベースライン損失を有する、
ことを特徴とする請求項１から６のいずれか１項に記載の発光装置及び請求項７または８に記載の光拡散型光ファイバ。
【請求項１０】
（ｉ）  前記光拡散型光ファイバが多数のコイルを有するコイルフィラメントを含み、前記コイル数は１と２０の間である、及び／または
（ii）  前記コイルフィラメントの長さにわたる総損失が約１０ｄＢである、
ことを特徴とする請求項１から９のいずれか１項に記載の発光装置または光拡散型光ファイバ。
【発明の詳細な説明】
【関連出願の説明】
【０００１】
本出願は２０１３年１１月８日に出願された米国特許出願第１４／０７５０７１号の優先権の恩典を主張する。本明細書は上記特許出願の明細書の内容に依存し、上記特許出願の明細書の内容はその全体が参照として本明細書に含められる。
【技術分野】
【０００２】
本明細書は全般には光ファイバ及び発光装置に関し、さらに詳しくは、光拡散型光ファイバ及び光拡散型光ファイバを備える発光装置に関する。
【背景技術】
【０００３】
様々な照明用途に照明を提供するため、エジソン型電球のような、様々な従来照明源が用いられ得る。従来照明源は、大きなエネルギー消費、大きな熱発生、短い耐用年数、等のような、欠点を有し得る。
【０００４】
光ファイバは、光源から目標領域に光が送達される、広範な用途に用いられる。例えば、照明、サイネージ、バイオ応用、等のような、いくつかの用途においては、光拡散型光ファイバを通って伝搬している光がファイバの長さに沿って径方向に外向きに散乱され、よってファイバの長さに沿う目標領域を照明するように、光拡散型光ファイバを利用することができる。しかし、既存の光拡散型光ファイバでは、いくつかの用途に申し分のない照明特性を提供することができない。
【発明の概要】
【発明が解決しようとする課題】
【０００５】
したがって、代わりの光拡散型光ファイバ及び光拡散型光ファイバを備える発光装置が必要とされている。
【課題を解決するための手段】
【０００６】
一実施形態にしたがえば、発光装置は、ベース、ベースに取り付けられた透明または半透明の外囲器、外囲器内に封入されたコイルフィラメントを含む光拡散型光ファイバ及び光拡散型光ファイバに光結合された光源を備える。コイルフィラメントは、ガラスコア、外表面及び、コイルフィラメントの外表面を通して光を散乱させるための、コイルフィラメント内に配された複数の光散乱構造体を有する。コイルフィラメントは、５０ｍｍより小さいターン半径において、０.５ｄＢ/ターンから１０.０ｄＢ/ターンの範囲にある損失を有する。光源から放射される光の少なくとも一部が光拡散型光ファイバに入り、複数の光散乱構造体によってガラスコアから散乱されてコイルフィラメントの外表面を通って外に出る。
【０００７】
別の実施形態において、発光装置はコイルフィラメントを含む光拡散型光ファイバを備える。コイルフィラメントは、ガラスコア、外表面及び、コイルフィラメントの外表面を通して光を散乱させるための、コイルフィラメント内に配された複数の光散乱構造体を有する。コイルフィラメントは、５０ｍｍより小さいターン半径において、０.５ｄＢ/ターンから１０.０ｄＢ/ターンの範囲にある損失を有する。
【０００８】
また別の実施形態において、光拡散型光ファイバは、ガラスコア、外表面及び、光拡散型光ファイバの外表面を通して光を散乱させるための、光拡散型光ファイバ内に配された複数の光散乱構造体を有する。光拡散型光ファイバは、５０ｍｍより小さいターン半径において、０.５ｄＢ/ターンから１０.０ｄＢ/ターンの範囲にある損失を有する。
【０００９】
本明細書に説明される実施形態のさらなる特徴及び利点は以下の詳細な説明に述べられ、ある程度は、当業者にはその説明から容易に明らかであろうし、あるいは以下の詳細な説明及び特許請求の範囲を含み、添付図面も含む、本明細書に説明される実施形態を実施することによって認められるであろう。
【００１０】
上述の全般的説明及び以下の詳細な説明のいずれもが様々な実施形態を説明しており、特許請求される主題の本質及び特質を理解するための概要または枠組みの提供が目的とされていることは当然である。添付図面は様々な実施形態のさらに深い理解を提供するために含められ、本明細書に組み入れられて本明細書の一部をなす。図面は本明細書に説明される様々な実施形態を示し、記述とともに、特許請求される主題の原理及び動作の説明に役立つ。
【図面の簡単な説明】
【００１１】
【図１Ａ】図１Ａは、本明細書に示されて説明される１つ以上の実施形態にしたがう、複数の光拡散構造体をファイバのコア領域に有する光拡散型光ファイバの断面を簡略に示す。
【図１Ｂ】図１Ｂは、本明細書に示されて説明される１つ以上の実施形態にしたがう、複数の光拡散構造体をファイバのコア領域に有する光拡散型光ファイバの断面を簡略に示す。
【図１Ｃ】図１Ｃは、本明細書に示されて説明される１つ以上の実施形態にしたがう、複数の光拡散構造体をファイバのコア領域に有する光拡散型光ファイバの断面を簡略に示す。
【図２】図２は、本明細書に示されて説明される１つ以上の実施形態にしたがう、図１Ａの光拡散型光ファイバの屈折率プロファイルを簡略に示す。
【図３】図３は、本明細書に示されて説明される１つ以上の実施形態にしたがう、図１Ｂの光拡散型光ファイバの屈折率プロファイルを簡略に示す。
【図４】図４は、本明細書に示されて説明される１つ以上の実施形態にしたがう、図１Ａの光拡散型光ファイバの相対屈折率プロファイルを簡略に示す。
【図５】図５は、本明細書に示されて説明される１つ以上の実施形態にしたがう、螺旋形状に構成されたコイルフィラメントを有する光拡散型光ファイバを備える発光装置を簡略に示す。
【図６】図６は、本明細書に示されて説明される１つ以上の実施形態にしたがう、圧縮形状に構成されたコイルフィラメントを有する光拡散型光ファイバを備える発光装置を簡略に示す。
【図７】図７は、本明細書に示されて説明される１つ以上の実施形態にしたがう、コイルフィラメントに光結合されたファイバ部を有する光拡散型光ファイバを備える発光装置を簡略に示す。
【図８】図８は、本明細書に示されて説明される１つ以上の実施形態にしたがう、支持構造体上のコイルフィラメントを備える発光装置を簡略に示す。
【図９】図９は、本明細書に示されて説明される１つ以上の実施形態にしたがう、ベースに取り付けられた外囲器内に封入されたコイルフィラメントを有する光拡散ファイバを備える発光装置を簡略に示す。
【図１０Ａ】図１０Ａは、本明細書に示されて説明される１つ以上の実施形態にしたがう、光拡散型光ファイバセグメント及び光伝送ファイバセグメントを含むコイルの側面図を簡略に示す。
【図１０Ｂ】図１０Ｂは、本明細書に示されて説明される１つ以上の実施形態にしたがう、光拡散型光ファイバセグメント及び光伝送ファイバセグメントを含むコイルの前面図を簡略に示す。
【発明を実施するための形態】
【００１２】
それらの例が添付図面に示されている、光拡散型光ファイバ及び光拡散型光ファイバを備える発光装置の様々な例をここで詳細に参照する。可能であれば必ず、同じかまたは同様の要素を指すために同じ参照数字が全図面にわたって用いられる。図５は、５０ｍｍより小さいターン半径において０.５ｄＢ/ターンから１０.０ｄＢ/ターンの範囲にある損失を有する、光拡散ファイバのコイルフィラメントを簡略に示す。そのような光拡散ファイバコイルフィラメントは、コイルフィラメントの長さに沿って高ルーメン出力を供給することができ、明るい照明を提供することができ、従来の白熱フィラメントの見かけを模擬することができる。図９は、従来の電球と同様の外観を有することができ、従来の電球より少ない電力を消費することができ、従来の電球よりも少ない熱を生じることができ、従来の電球より長い時間もつことができる、透明または半透明の外囲器内に封入された光拡散ファイバコイルフィラメントを簡略に示す。本明細書では、添付図面を具体的に参照して光拡散ファイバ及び光拡散型光ファイバを備える発光装置をさらに詳細に説明する。
【００１３】
本明細書の光拡散型光ファイバを説明するため、本明細書では以下の用語が用いられる。
【００１４】
術語「屈折率プロファイル」は、本明細書に用いられるように、屈折率または相対屈折率とファイバの半径の間の関係である。
【００１５】
術語「相対屈折率％」は、本明細書に用いられるように、
Δ(ｒ)％＝１００×[ｎ(ｒ)２−ｎＲＥＦ２]/２ｎ(ｒ)２
と定義される。ここで、ｎ(ｒ)は、別途に指定されない限り、半径ｒにおける屈折率である。相対屈折率％は、別途に指定されない限り、８５０ｎｍにおいて定められる。一態様において、基準屈折率ｎＲＥＦは、８５０ｎｍにおけるシリカガラスの屈折率１.４５２４９８である。別の態様において、ｎＲＥＦは８５０ｎｍにおけるクラッド層の最大屈折率である。本明細書に用いられるように、相対屈折率はΔで表され、その値は、別途に指定されない限り、％単位で与えられる。ある領域の屈折率が基準屈折率ｎＲＥＦより小さい場合、相対屈折率は負であり、陥没領域または陥没屈折率を有すると称され、最小相対屈折率は、別途に指定されない限り、相対屈折率が最も負である点において計算される。ある領域の屈折率が基準屈折率ｎＲＥＦより大きい場合、相対屈折率は正であり、その領域は隆起しているまたは正屈折率を有すると称することができる。
【００１６】
術語「ステップ型屈折率プロファイル」は、本明細書に用いられるように、％単位であるΔ(ｒ)で表され、式：
Δ(ｒ)％＝１００×[ｎ(ｒ)−ｎＲＥＦ]/ｎＲＥＦ，  ｒ＜ｒ０の場合
Δ(ｒ)％＝０，  ｒ＞ｒ０の場合
にしたがう、相対屈折率プロファイルを指す。ここで、ｒは与えられた半径であり、ｒ０はコアの半径である。
【００１７】
術語「上げドーパント」は、本明細書に用いられるように、アンドープ純ＳｉＯ２に対してガラスの屈折率を高めるドーパントを指す。術語「下げドーパント」は、本明細書に用いられるように、アンドープ純ＳｉＯ２に対してガラスの屈折率を低める性向を有するドーパントである。上げドーパントは、上げドーパントではない１つ以上の他のドーパントがともなう場合、負の相対屈折率を有する光ファイバの領域に存在し得る。同様に、正の相対屈折率を有する光ファイバの領域に、上げドーパントではない１つ以上の他のドーパントが存在し得る。下げドーパントは、下げドーパントではない１つ以上の他のドーパントがともなう場合、正の相対屈折率を有する光ファイバの領域に存在し得る。同様に、負の相対屈折率を有する光ファイバの領域に、下げドーパントではない１つ以上の他のドーパントが存在し得る。
【００１８】
図１Ａをここで参照すれば、一実施形態の光拡散型光ファイバ１００が簡略に示されている。光拡散型光ファイバ１００は一般に光散乱リング１０６を含むコア領域１０２及びクラッド層１０８を有する。図１Ａに示される実施形態において、コア領域１０２はシリカベースガラスで形成され、屈折率ｎを有する。コア領域１０２は光拡散型光ファイバ１００の中心線から半径ＲＯＣまで広がる。いくつかの実施形態において、コア領域１０２の半径ＲＯＣは１０μｍ≦ＲＯＣ≦６２.５μｍであるようにすることができる。いくつかの実施形態において、コア領域１０２の半径ＲＯＣは５０μｍ≦ＲＯＣ≦１００μｍであるようにすることができる。いくつかの実施形態において、コア領域１０２の半径ＲＯＣは約９０μｍとすることができる。しかし、半径ＲＯＣが本明細書に明示的に述べられた範囲以外にあるコア領域１０２を他の実施形態が有し得ることは当然である。
【００１９】
いくつかの実施形態において、コア領域１０２の屈折率プロファイルの１つ以上のセグメントはステップ型屈折率プロファイルを有する。いくつかの実施形態において、コア領域の屈折率は中心線ディップを有することができ、コアの最大屈折率及び光ファイバ全体の最大屈折率は光拡散型光ファイバ１００の長軸１０５から若干離れたところにある。しかし、別の実施形態において、コア領域１０２の屈折率は中心線ディップを有さず、コアの最大屈折率及び光拡散型光ファイバ全体の最大屈折率は中心線にある。
【００２０】
コア領域の光散乱リング１０６は、シリカベースガラスで形成され、一般に複数の光散乱構造体１０７を有する。いくつかの実施形態において、光散乱リング１０６の幅Ｗは０.１ＲＯＣ≦Ｗ≦ＲＯＣである。いくつかの実施形態において、光散乱リング１０６の幅Ｗは約５μｍから約１００μｍの間にある。光散乱リング１０６の平均屈折率ｎ２は複数の光散乱構造体１０７の存在によって、シリカガラスに対して低められている。
【００２１】
いくつかの実施形態において、複数の光散乱構造体１０７は、直径が約５０ｎｍから約２μｍのナノサイズ空孔のような、複数のナノサイズ空孔とすることができる。複数の光散乱構造体１０７が複数のナノサイズ空孔であるいくつかの実施形態において、ナノサイズ空孔は約０.５ｍｍから約１ｍの長さを有する。ナノサイズ空孔はガラスを含んでいないという意味において空孔である。しかし、本明細書に説明される実施形態において、ファイバがそれから線引きされる光ファイバプリフォームの形成中に空孔に導入されるガスによって空孔を満たすことができる。例えば、ナノサイズ空孔は、ＳＯ２、Ｋｒ、Ａｒ、ＣＯ２、Ｎ２、Ｏ２またはこれらの混合気によって満たすことができる。あるいは、ナノサイズ空孔には実質的にいかなるガスもない状態にしておくことができる。別の実施形態において、複数の光散乱構造体は、蛍光体粒子または蓄光体粒子のような、光散乱粒子とすることができる。例えば、光散乱粒子を有する実施形態は、ＴｉＯ２またはＳｉＯ２あるいはその他のいずれかの有機材料または無機材料を含む、光散乱粒子を有することができる。
【００２２】
光散乱構造体１０７は光拡散型光ファイバ１００のコア領域１０２内を伝搬している光を、光がコア領域１０２から径方向に外向きに外表面を通して導かれ、よって光拡散型光ファイバ１００及び光拡散型光ファイバ１００の周囲空間を照明するように、散乱させるために利用される。
【００２３】
本明細書に説明される実施形態において、光散乱リング１０６は、散乱誘起減衰損失の所望の増大を達成するため、コア領域１０２内の異なる位置に配置することができる。図１Ａに示される実施形態の光拡散型光ファイバ１００を参照すれば、光散乱リング１０６はコア領域１０２の内部に配置されている。詳しくは、この実施形態において、コア領域１０２は、複数の光散乱構造体１０７を有する光散乱リング１０６で隔てられた、内コア領域１０３及び外コア領域１０４を有する。光散乱リング１０６は内コア領域１０３を囲み、内コア領域１０３及び外コア領域１０４のいずれとも直接に接している。内コア領域１０３はシリカベースガラスで形成することができ、屈折率ｎ１を有する。外コア領域１０４もシリカベースガラスで形成することができ、屈折率ｎ３を有する。一般に、内コア領域１０３の屈折率ｎ１及び外コア領域１０４の屈折率ｎ３は光散乱リング１０６の屈折率ｎ２より大きい。
【００２４】
いくつかの実施形態において、内コア領域１０３は０.１ＲＯＣ≦ＲＩＣ≦０.９ＲＯＣの範囲にある半径ＲＩＣを有する。いくつかの実施形態において、内コア領域１０３は０.１ＲＯＣ≦ＲＩＣ≦０.６ＲＯＣの範囲にある半径ＲＩＣを有する。
【００２５】
図１Ａをまだ参照すれば、光拡散型光ファイバ１００はさらに、コア領域１０２を囲んでコア領域１０２に直接に接している、クラッド層１０８を有することができる。クラッド層１０８は、光拡散型光ファイバ１００の開口数（ＮＡ）を高めるため、低屈折率を有する材料で形成することができる。いくつかの実施形態において、ファイバの開口数は０.２より小さくすることができる。例えば、光拡散型光ファイバ１００の開口数は０.１より大きく、さらに好ましくは０.１５より大きく、することができる。いくつかの実施形態において、光拡散型光ファイバ１００の開口数は０.１から０.２の範囲内にあり得る。いくつかの実施形態において、光拡散型光ファイバ１００の開口数は０.１５から０.２の範囲内にあり得る。一実施形態において、クラッド層１０８は、ＵＶ硬化性または熱硬化性のフルオロアクリル樹脂またはシリコーン樹脂のような、低屈折率高分子材料で形成することができる。別の実施形態において、クラッド層１０８は、例えばフッ素のような、下げドーパントで下げドープされたシリカガラスで形成することができる。クラッド層１０８は一般に、コア領域１０２の屈折率より小さく、さらに詳しくは内コア領域１０３の屈折率ｎ１及び外コア領域１０４の屈折率ｎ３より小さい、屈折率ｎ４を有する。いくつかの実施形態において、クラッド層１０８の屈折率ｎ４は光散乱リング１０６の屈折率ｎ２より小さくすることができる。特定の実施形態の１つにおいて、クラッド層１０８は、シリカガラスに対して負の相対屈折率を有する、低屈折率高分子材クラッド層である。例えば、クラッド層の相対屈折率は約−０.５％より小さく、さらに一層好ましくは−０.７５％より小さく、することができる。
【００２６】
クラッド層１０８は一般にコア領域１０２の外半径ＲＯＣから半径ＲＣＬまで広がる。いくつかの実施形態において、クラッド層１０８の径方向幅（すなわち、ＲＣＬ−ＲＯＣ）は約１０μｍより大きい。いくつかの実施形態において、クラッド層１０８の径方向幅（すなわち、ＲＣＬ−ＲＯＣ）は約１５μｍより大きい。
【００２７】
図１Ａ及び２を参照すれば、図２は図１Ａの光拡散型光ファイバ１００の屈折率プロファイルをグラフで表示している。図２に示されるように、内コア領域１０３の屈折率ｎ１及び外コア領域１０４の屈折率ｎ３は光散乱リング１０６の屈折率ｎ２より大きい。例えば、図１Ａに示される実施形態において、内コア領域１０３及び外コア領域１０４は、内コア領域１０３の屈折率ｎ１及び外コア領域１０４の屈折率ｎ３が光散乱リング１０６のアンドープシリカガラスの屈折率より大きいように、Ｇｅ、Ａｌ、Ｐまたは同様の上げドーパントのような、ドーパントを含むシリカベースガラスで形成することができる。さらに、この例において、内コア領域１０３及び外コア領域１０４に用いられるドーパントの相対量及びタイプは、図２に示される相対屈折率プロファイルに示されるように、ｎ１＞ｎ３になるように異ならせることができる。さらに、光散乱リング１０６は、光散乱リングの屈折率ｎ２が内コア領域１０３または外コア領域１０４のいずれの屈折率よりもかなり小さくなるように、下げドープされたシリカガラスで形成することができる。この例の屈折率プロファイルにおいては、ｎ１＞ｎ３＞ｎ２＞ｎ４である。
【００２８】
例えば、内コア領域１０３、外コア領域１０４及び光散乱リング１０６は本明細書においてドーパントを含むとして説明されたが、ｎ１及びｎ３がｎ２より大きい限り、これらの領域の１つ以上がドーパント無しで形成され得ることは当然である。例えば、一実施形態において、内コア領域１０３及び外コア領域１０４はドーパント無しで形成することができ、一方、光散乱リング１０６は下げドープされる。あるいは、内コア領域１０３及び外コア領域１０４は上げドープすることができ、一方、光散乱リング１０６はドーパント無しで形成される。
【００２９】
図１Ａ、２及び４を次に参照すれば、図１Ａに示される光拡散型光ファイバ１００のコア領域及びクラッド層領域についての相対屈折率プロファイルの例がグラフで示されている。基準屈折率ｎＲＥＦはクラッド層１０８の屈折率である。この実施形態において、内コア領域１０３は、この実施形態においては一定である最大屈折率ｎ１に対応する、相対屈折率プロファイルΔ１を有する。光散乱リング１０６は、最小屈折率ｎ２、相対屈折率プロファイルΔ２(ｒ)、最大相対屈折率Δ２ＭＡＸ及び最小相対屈折率Δ２ＭＩＮを有する。外コア領域１０４は、この実施形態においては一定である最大屈折率ｎ３に対応する最大相対屈折率Δ３ＭＡＸを有する、相対屈折率プロファイルΔ３(ｒ)を有する。この実施形態において、クラッド層１０８は、この実施形態においては一定である屈折率ｎ４に対応する、相対屈折率プロファイルΔ４(ｒ)を有する。この実施形態において、これらの領域の屈折率は次の関係ｎ１＞ｎ３＞ｎ２＞ｎ４を有する。
【００３０】
図１Ａを再び参照すれば、光拡散型光ファイバ１００は、必要に応じて、クラッド層１０８を囲んでクラッド層に直接に接している被覆層１１０を有することができる。例えば、一実施形態において、被覆層１１０は低弾性率一次被覆層及び、低弾性率一次被覆層を囲む、高弾性率二次被覆層を含む。いくつかの実施形態において、被覆層１１０は、アクリルベースまたはシリコーンベースの高分子材のような、高分子材被覆を含む。少なくともいくつかの実施形態において、被覆層１１０は光拡散型光ファイバの長さに沿って一定の直径を有する。
【００３１】
いくつかの実施形態において、被覆層１１０はコア領域１０２から径方向に放射されてクラッド層１０８を通過した光の分布及び／または性質を強化するために利用することができる。例えば、いくつかの実施形態において、被覆層１１０は被覆層１１０の最外表面上に散乱材料を含むことができる。散乱材料は光拡散型光ファイバ１００のコア領域１０２から散乱された光の角度分布を与えるＴｉＯ２ベース白色インクを含むことができる。例えば、いくつかの実施形態において、インク層は約１μｍから約５μｍの厚さを有することができる。別の実施形態において、インク層の厚さ及び／またはインク層内の顔料の濃度は、大角度（すなわち、約１５°より大きい角度）において光拡散型光ファイバ１００から散乱される光の強度のより一様な変化を与えるため、ファイバの軸長に沿って変えることができる。
【００３２】
あるいはまたはさらに、被覆層１１０はコア領域１０２から散乱された光をより長波長の光に変換する蛍光材料を含むことができる。いくつかの実施形態において、被覆層１１０にそのような蛍光材料を有する光拡散型光ファイバ１００を、例えば、４０５ｎｍまたは４４５ｎｍのＵＶＬＥＤのような、ＵＶ光源に結合することによって光拡散型光ファイバから白色光を放射させることができる。コア領域１０２から散乱された光源からのＵＶ光は、光拡散型光ファイバ１００から白色光が放射されるように、被覆層内の材料から蛍光を励起する。
【００３３】
図１Ｂ及び３を次に参照すれば、別の実施形態において、光拡散型光ファイバ１２０は、上述したように、光散乱リング１０６を有するコア領域１０２、クラッド層１０８及び被覆層１１０を有する。しかし、この実施形態において光散乱リング１０６は、クラッド層１０８が光散乱リング１０６を囲んで光散乱リング１０６に直接に接しているのでコア領域１０２の最外領域である。光散乱リング１０６は複数の光散乱構造体を有する。さらに、この実施形態において、コア領域１０２は、上述したように、ステップ型屈折率プロファイルを有することができる。この実施形態において、図３に示されるように、コア領域１０２の屈折率ｎ１は一般にクラッド層１０８の屈折率ｎ４より大きく、クラッド層１０８は、続いて、ｎ１＞ｎ４＞ｎ２であるように、光散乱リング１０６より大きい屈折率を有する。
【００３４】
図１Ｃを次に参照すれば、別の実施形態において、光拡散型光ファイバ１３０は、図１Ａ及び１Ｂに関して上述したように、コア領域１０２、クラッド層１０８及び被覆層１１０を有する。しかし、この実施形態においては、コア領域１０２の全体が光散乱構造体１０７を有する。この実施形態において、コア領域１０２は、上述したように、ステップ型屈折率プロファイルを有することができる。
図５を次に参照すれば、光拡散型光ファイバ５００を備える発光装置の一実施形態が簡略に示されている。光拡散型光ファイバ５００は、図１Ａの光拡散型光ファイバ１００、図１Ｂの光拡散型光ファイバ１２０、図１Ｃの光拡散型光ファイバ１３０または上述した構造または組成とは別の構造または組成を有する光拡散型光ファイバとすることができる。光拡散型光ファイバ５００はコイルフィラメント５１０を含む。コイルフィラメント５１０は、ガラスコア、外表面及び、コイルフィラメント５１０の外表面を通して光を散乱させるための、コイルフィラメント内に配された複数の光散乱構造体を有する。例えば、図１Ａ〜１Ｃ及び５を参照すれば、光拡散型光ファイバ５００が図１Ａの光拡散型光ファイバ１００、図１Ｂの光拡散型光ファイバ１２０または図１Ｃの光拡散型光ファイバ１３０である実施形態において、コイルフィラメント５１０は、ガラスコア領域１０２、外表面及び、コイルフィラメント５１０の外表面を通して光を散乱させるための、コイルフィラメント５１０内に配された複数の光散乱構造体１０７を有する。
【００３５】
図５を再び参照すれば、コイルフィラメント５１０は半径ｒを有する。いくつかの実施形態において、コイルフィラメント５１０の半径ｒは５０ｍｍより小さい。いくつかの実施形態において、コイルフィラメント５１０の半径ｒは２５ｍｍより小さい。別の実施形態において、コイルフィラメント５１０の半径ｒは１５ｍｍより小さい。また別の実施形態において、コイルフィラメント５１０の半径ｒは７.５ｍｍより小さい。いくつかの実施形態において、コイルフィラメント５１０の半径ｒは４ｍｍから３０ｍｍの範囲にある。コイルフィラメント５１０を緊密に巻くことで、光拡散型光ファイバの巻かれていないかまたは緩く巻かれているセグメントに比較して、より大きな長さ当たりルーメン出力を達成することができ、これは、特定の場所においてより明るい光が望まれる照明用途に望ましいことであり得る。コイルフィラメント５１０は複数の円形コイルを有するとして図５に示されているが、別の実施形態において、コイルフィラメント５１０が楕円形コイルまたは他の形状のコイルを有し得ることは当然である。
【００３６】
図５をまだ参照すれば、コイルフィラメント５１０は、５０ｍｍより小さいターン半径において、０.５ｄＢ/ターンから１０.０ｄＢ/ターンの範囲にある損失を有する。損失は、ある波長を有する光をコイルフィラメント５１０の一端に注入し、コイルフィラメントの全ターンにわたる損失を測定することで、測定することができる。コイルフィラメント５１０の０.５ｄＢ/ターンから１０.０ｄＢ/ターンの損失は、コイルフィラメント５１０がコイルフィラメント５１０の長さに沿って明るく照明され、従来の白熱フィラメントの見かけを模擬できることを保証する。いくつかの実施形態において、光拡散型光ファイバ５００は、複数の光散乱構造体によって誘起される散乱により、０.０２ｄＢ/ｍから１ｄＢ/ｍの範囲にあるベースライン損失を有する。いくつかの実施形態において、コイルフィラメント５１０は多数のターンを有する。いくつかの実施形態において、ターン数は、コイルフィラメント５１０がコイルフィラメント５１０の長さにわたって１０ｄＢの損失を有するように、１から２０の範囲とすることができる。例えば、コイルフィラメント５１０が２０ターンからなり、１０.０ｄＢ/ターン損失を有する一実施形態において、コイルフィラメント５１０は、２０ターンコイルフィラメント５１０の長さにわたって光のほぼ９０％が放散されるであろうように、コイルフィラメント５１０の長さにわたり１０ｄＢの損失を有する。別の限定ではない例として、コイルフィラメント５１０が１ターンからなり、１０.０ｄＢ/ターン損失を有する一実施形態において、コイルフィラメント５１０は、１ターンコイルフィラメント５１０の長さにわたって光のほぼ９０％が放散されるであろうように、コイルフィラメント５１０の長さにわたり１０ｄＢの損失を有する。コイルフィラメント５１０のコイルの半径及び／または数を、コイルフィラメント５１０がそれから形成される光拡散ファイバのｄＢ/ターン損失とともに、調節することによってコイルフィラメント５１０の発光特性が変わり得ることは当然である。曲げ損失は一般にコイル半径を大きくするとともに大きくなる。
【００３７】
図５をまだ参照すれば、図示されるコイルフィラメント５１０は、隣り合うコイル５１０ａ、５１０ｂが相互に接していない、螺旋形状で構成される。コイルフィラメント５１０は一様間隔のコイルを有するとして示されているが、別の実施形態では、いくつかの隣り合うコイルが他の隣り合うコイルよりも大きく隔てられている実施形態のように、一様間隔ではないことがあり得ることは当然である。さらに、いくつかの実施形態において、少なくとも１つの隣り合うコイル対は相互に接することができる。
【００３８】
さらに、コイルフィラメント５１０のコイルは同じ半径ｒをもつとして図５に示されているが、別の実施形態においては、コイルの半径がコイルフィラメント５１０の長さにかけて増大または減少する実施形態におけるように、コイルフィラメント５１０は半径が変化するコイルを有することができる。コイルフィラメント５１０の長さにかけてコイルの半径を変えることによって、コイルフィラメント５１０から放射される光が一様な発光プロファイルを有するようにコイルフィラメント５１０にかけて（例えば、コイルフィラメント５１０の入力端からコイルフィラメント５１０の出力端にかけて）コイルの半径を大きくしていくことによるように、コイルフィラメント５１０の照明特性を制御することができる。
【００３９】
図６を次に参照すれば、光拡散型光ファイバ６００を備える発光装置の一実施形態が簡略に示されている。光拡散型光ファイバ６００は、図１Ａの光拡散型光ファイバ１００、図１Ｂの光拡散型光ファイバ１２０、図１Ｃの光拡散型光ファイバ１３０または上述したこれらの構造または組成とは別の構造または組成を有する光拡散型光ファイバとすることができる。光拡散型光ファイバ６００はコイルフィラメント６１０を含む。コイルフィラメント６１０は、ガラスコア、外表面及び、コイルフィラメント６１０の外表面を通して光を散乱させるための、コイルフィラメント内に配された複数の光散乱構造体を有する。例えば、図１Ａ〜１Ｃ及び６を参照すれば、光拡散型光ファイバ６００が図１Ａの光拡散型光ファイバ１００、図１Ｂの光拡散型光ファイバ１２０または図１Ｃの光拡散型光ファイバ１３０である実施形態において、コイルフィラメント６１０は、ガラスコア領域１０２、外表面及び、コイルフィラメント６１０の外表面を通して光を散乱させるための、コイルフィラメント６１０内に配された複数の光散乱構造体１０７を有する。
【００４０】
図６を再び参照すれば、コイルフィラメント６１０は半径ｒを有する。いくつかの実施形態において、コイルフィラメント６１０の半径ｒは５０ｍｍより小さい。いくつかの実施形態において、コイルフィラメント６１０の半径ｒは２５ｍｍより小さい。別の実施形態において、コイルフィラメント６１０の半径ｒは１５ｍｍより小さい。また別の実施形態において、コイルフィラメント６１０の半径ｒは７.５ｍｍより小さい。いくつかの実施形態において、コイルフィラメント６１０の半径ｒは４ｍｍから３０ｍｍの範囲にある。コイルフィラメント６１０を緊密に巻くことで、光拡散型光ファイバの巻かれていないかまたは緩く巻かれているセグメントに比較して、より大きな長さ当たりルーメン出力を達成することができ、これは、特定の場所においてより明るい光が望まれる照明用途に望ましいことであり得る。コイルフィラメント６１０は複数の円形コイルを有するとして図６に示されているが、別の実施形態において、コイルフィラメント６１０が楕円形コイルまたは他の形状のコイルを有し得ることは当然である。
【００４１】
図６をまだ参照すれば、コイルフィラメント６１０は、５０ｍｍより小さいターン半径において、０.５ｄＢ/ターンから１０.０ｄＢ/ターンの範囲にある損失を有する。損失は、ある波長を有する光をコイルフィラメント６１０の一端に注入し、コイルフィラメントの全ターンにわたる損失を測定することで、測定することができる。コイルフィラメント６１０の０.５ｄＢ/ターンから１０.０ｄＢ/ターンの損失は、コイルフィラメント６１０がコイルフィラメント６１０の長さに沿って明るく照明され、従来の白熱フィラメントの見かけを模擬できることを保証する。いくつかの実施形態において、光拡散型光ファイバ６００は、複数の光散乱構造体によって誘起される散乱により、０.０２ｄＢ/ｍから１ｄＢ/ｍの範囲にあるベースライン損失を有する。いくつかの実施形態において、コイルフィラメント６１０は多数のターンを有する。いくつかの実施形態において、ターン数は、コイルフィラメント６１０がコイルフィラメント６１０の長さにわたって１０ｄＢの損失を有するように、１から２０の範囲とすることができる。例えば、コイルフィラメント６１０が２０ターンからなり、１０.０ｄＢ/ターンを有する一実施形態において、コイルフィラメント６１０は、２０ターンコイルフィラメント６１０の長さにわたって光のほぼ９０％が放散されるであろうように、コイルフィラメント６１０の長さにわたり１０ｄＢの損失を有する。別の限定ではない例として、コイルフィラメント６１０が１ターンからなり、１０.０ｄＢ/ターンを有する一実施形態において、コイルフィラメント６１０は、１ターンコイルフィラメント６１０の長さにわたって光のほぼ９０％が放散されるであろうように、コイルフィラメント６１０の長さにわたり１０ｄＢの損失を有する。上述したように、コイルフィラメント６１０のコイルの半径及び／または数を、コイルフィラメント６１０がそれから形成される光拡散ファイバのｄＢ/ターン損失とともに、調節することによってコイルフィラメント６１０の発光特性が変わり得ることは当然である。
【００４２】
図６をまだ参照すれば、図示されるコイルフィラメント６１０は、隣り合うコイル６１０ａ、６１０ｂが相互に接している、圧縮形状で構成される。コイルフィラメント６１０は隣り合うコイルの全てが相互に接しているとして示されているが、いくつかの実施形態では、隣り合うコイル対の全てが相互に接しているとは限らないことは当然である。
【００４３】
図７を次に参照すれば、図５の光拡散型光ファイバ５００に光結合されたファイバ部を有する発光装置が簡略に示されている。詳しくは、第１のファイバ部７１０がコイルフィラメント５１０の第１の末端５０２に光結合され、第２のファイバ部７２０がコイルフィラメント５１０の第２の末端５０４に光結合される。第１のファイバ部７１０及び／または第２のファイバ部７２０に注入された光はファイバ部を通って進んでコイルフィラメント５１０に入ることができ、コイルフィラメント５１０から放射され得る。
【００４４】
いくつかの実施形態において、第１のファイバ部７１０及び第２のファイバ部７２０は光拡散型光ファイバの一部である。いくつかの実施形態において、第１のファイバ部７１０、第２のファイバ部７２０及びコイルフィラメント５１０は同じ光拡散型光ファイバのそれぞれ一部とすることができる。第１のファイバ部７１０及び第２のファイバ部７２０が光拡散型光ファイバの一部である別の実施形態において、第１のファイバ部７１０及び／または第２のファイバ部７２０はコイルフィラメント５１０に取り付けられてコイルフィラメント５１０に光結合された個別の光拡散型光ファイバとすることができる。第１のファイバ部７１０及び第２のファイバ部７２０が光拡散型光ファイバの一部である実施形態において、第１のファイバ部７１０及び第２のファイバ部７２０の長さに沿っては、コイルフィラメント５１０から放射される高強度の単位長当たりの光に比較して、低強度の単位長当たりの光が放射され得る。
【００４５】
いくつかの実施形態において、第１のファイバ部７１０及び第２のファイバ部７２０はそれぞれ、コイルフィラメント５１０に取り付けられてコイルフィラメント５１０に光結合された、第１の光伝送ファイバ及び第２の光伝送ファイバである。そのような実施形態においては、第１のファイバ部７１０及び第２のファイバ部７２０に沿って放射され得る光は全く無いかまたは最小量であり、コイルフィラメント５１０からは高強度の光が放射され得る。
【００４６】
図７においては図５の光拡散型光ファイバ５００が第１のファイバ部７１０及び第２のファイバ部７２０に光結合されているとして示されるが、別の実施形態において、図６の光拡散型光ファイバ６００のような、異なる光拡散型光ファイバが第１のファイバ部７１０及び第２のファイバ部７２０に光結合され得ることは当然である。
【００４７】
コイルフィラメント５１０及びコイルフィラメント６１０のコイルは光拡散型光ファイバのコイルとして示し、説明したが、別の実施形態においては、コイルフィラメント５１０またはコイルフィラメント６１０のコイルの１つ以上の一部だけを光拡散型光ファイバで形成することができる。例えば、いくつかの実施形態において、コイルフィラメント５１０またはコイルフィラメント６１０のコイルの１つ以上は少なくとも１つの光拡散型光ファイバセグメント及び少なくとも１つの光伝送ファイバセグメントを有することができる。（コイル１０００の側面図を示している）図１０Ａ及び（コイル１０００の前面図を示している）図１０Ｂを次に参照すれば、コイル１０００が、光拡散型光ファイバセグメント１０２０に光結合された第１の光伝送ファイバセグメント１０１０ａを有し、光拡散型光ファイバセグメント１０２０は、続いて、第２の光伝送ファイバセグメント１０１０ｂに光結合されている、そのような実施形態の１つが簡略に示されている。そのような実施形態においては、コイル１０００の一部（例えば、コイルの１/４から１/２）だけが光拡散型光ファイバで形成され得る。少なくとも１つの光拡散型光ファイバセグメント及び少なくとも１つの光伝送ファイバセグメントを有するコイルは所望の照明特性を提供することができ、鋭い曲がりを有するコイルフィラメントの製造に望ましい態様を備えることができる。
【００４８】
図８を次に参照すれば、支持構造体８１０上のコイルフィラメント５１０を備える発光装置８００が簡略に示されている。コイルフィラメント５１０は、支持構造体８１０の長さに沿って、支持構造体に取り付けるかまたは支持構造体を巡って巻き付けることができる。いくつかの実施形態において、支持構造体は、それを巡ってコイルフィラメント５１０が巻き付けられる、中実または中空のロッドとすることができる。別の実施形態において、コイルフィラメント５１０はコイルフィラメント５１０の末端またはその近傍において支持構造体に取り付けることができるが、コイルフィラメント５１０の中間において支持構造体に取り付けることはできない。いくつかの実施形態において、支持構造体８１０は反射性とすることができ、あるいは反射性材料でコーティングすることができる。支持構造体８１０はコイルフィラメント５１０の構成及び／または形状を維持する上でコイルフィラメント５１０を補助することができる。支持構造体８１０はコイルフィラメント５１０を所望の空間位置に維持する上でも補助することができる。図８においては図５のコイルフィラメント５１０が支持構造体８１０によって支持されているとして簡略に示されているが、別の実施形態は、図６のコイルフィラメント６１０のような、異なるコイルフィラメントを有し得ることは当然である。さらに、いくつかの実施形態は、コイルフィラメント５１０が自立している実施形態におけるように、支持構造体を含まないことがあることは当然である。
【００４９】
図９を次に参照すれば、発光装置９００が簡略に示されている。発光装置９００は、ベース９１０、透明または半透明の外囲器９２０、図５の光拡散型光ファイバ５００及び光源９３０を備える。透明または半透明の外囲器９２０はベース９１０に取り付けられる。光拡散型光ファイバ５００は透明または半透明の外囲器９２０内に封入されたコイルフィラメント５１０を含む。
【００５０】
いくつかの実施形態において、ベース９１０はねじ込口金とすることができる。そのような実施形態において、ベース９１０は、Ｅ５ソケット、Ｅ１０ソケット、Ｅ１１ソケット、Ｅ１２ソケット、Ｅ１４ソケット、Ｅ１７ソケット、Ｅ２６ソケット、Ｅ２７ソケット、Ｅ２９ソケット、Ｅ３９ソケット、Ｅ４０ソケット、自動車用ランプソケット、等のような、標準の電球ソケットへのねじ込みに適合させることができる。別の実施形態において、ベース９１０は蛍光灯ソケットまたは他のいずれかのタイプの標準照明器具ソケットに挿入されるように適合させることができる。ベース９１０は、ベースが光源９３０に挿入されるソケットから電力を電気的に結合するためのエレクトロニクスを有することもできる。別の実施形態において、ベース９１０は、ベース９１０が自立構造である実施形態におけるように、ねじ付台座にねじ込めるように構成されないことがある。
【００５１】
透明または半透明の外囲器９２０はいずれかの透明または半透明の材料で形成することができる。例えば、いくつかの実施形態において、透明または半透明の外囲器９２０はプラスチックまたはガラスで形成することができる。いくつかの実施形態において、透明または半透明の外囲器９２０は磨りガラスとすることができる。透明または半透明の外囲器９２０は無色透明とすることができ、あるいは色付きとすることができる。いくつかの実施形態において、透明または半透明の外囲器９２０は、透明または半透明の外囲器９２０が蛍光材料または散乱材料でコーティングされている実施形態におけるように、蛍光材料または散乱材料でコーティングされるが、光拡散型光ファイバ５００はそのようにコーティングされていない。
【００５２】
光源９３０は光拡散型光ファイバ５００のコイルフィラメント５１０に光結合される。図９に示される実施形態において、光源９３０は、図７に示し、上述した、第１の光ファイバ部７１０及び第２の光ファイバ部７２０に光結合される。いくつかの実施形態において、光源９３０はコイルフィラメント５１０の末端に直接に結合させることができる。いくつかの実施形態において、光源９３０はコイルフィラメント５１０の一端だけに、あるいはコイルフィラメント５１０の一端だけから延びるファイバ部に、光結合させることができる。いくつかの実施形態において、光源９３０は発光ダイオードまたはレーザダイオードを有することができる。いくつかの実施形態において、光源９３０は複数の発光ダイオードまたは複数のレーザダイオードを有することができる。図９に示される実施形態のような、いくつかの実施形態において、光源９３０はベース９１０に取り付けられる。
【００５３】
光源９３０に電力が加えられると、光源９３０から放射される光がコイルフィラメント５１０に光結合され、よって、放射光の少なくとも一部が光拡散型光ファイバ５００に入り、コイルフィラメント５１０内の複数の光散乱構造体によってコアから散乱されて、コイルフィラメント５１０の外表面を通って出る。透明または半透明の外囲器９２０内に封入されたコイルフィラメント５１０から光を放射する、そのような発光装置９００は、従来の発光装置（例えばエジソン型電球）と同様の外観を有することができ、それよりも少ない電力を消費することができ、それよりも少ない熱を発生することができ、それよりも長もちすることができる。
【００５４】
本明細書に説明されるように、コイルフィラメントを含む光拡散型光ファイバを備える発光装置が、コイルフィラメントの長さに沿って高ルーメン出力を供給することができ、単位長当たりの高輝度照明を提供することができ、従来の白熱フィラメントの見かけを模擬できることが今では理解されるはずである。さらに、本明細書に説明されるように、透明または半透明の外囲器内に封入された光拡散ファイバコイルフィラメントを備える発光装置が、従来の電球と同様の外観を有し得ること、それよりも消費電力が少なくなり得ること、それよりも発生熱が少なくなり得ること及びそれよりも長もちし得ることが理解されるはずである。
【００５５】
用語「実質的に」及び「約」は、本明細書において、いかなる量的な比較、値、測定値またはその他の表現にも帰し得る不確定性の本質的な度合いを表すために用いられ得る。これらの用語は、本明細書において、当該主題の基本機能に変化を生じさせずに量的表現が言明された基準から変わり得る度合いを表すためにも用いられる。
【００５６】
特許請求される主題の精神及び範囲を逸脱することなく本明細書に説明される実施形態に様々な改変及び変形がなされ得ることが当業者には明らかであろう。したがって、本明細書に説明される様々な実施形態の改変及び変形が添付される特許請求項及びそれらの等価形態の範囲内に入れば、本明細書はそのような改変及び変形を包含するとされる。
【符号の説明】
【００５７】
１００，１２０，１３０，５００，６００    光拡散型光ファイバ
１０２    コア領域
１０３    内コア領域
１０４    外コア領域
１０５    ファイバの長軸
１０６    光散乱リング
１０７    光散乱構造体
１０８    クラッド層
１１０    被覆層
５０２，５０４    コイルフィラメントの末端
５１０，６１０    コイルフィラメント
５１０ａ，５１０ｂ，６１０ａ，６１０ｂ，１０００    コイル
７１０，７２０    ファイバ部
８００，９００    発光装置
８１０    支持構造体
９１０    ベース
９２０    外囲器
９３０    光源
１０１０ａ，１０１０ｂ    光伝送ファイバセグメント
１０２０    光拡散型光ファイバセグメント
【図１Ａ】
2016539486.tif 000003
【図１Ｂ】
2016539486.tif 000004
【図１Ｃ】
2016539486.tif 000005
【図２】
2016539486.tif 000006
【図３】
2016539486.tif 000007
【図４】
2016539486.tif 000008
【図５】
2016539486.tif 000009
【図６】
2016539486.tif 000010
【図７】
2016539486.tif 000011
【図８】
2016539486.tif 000012
【図９】
2016539486.tif 000013
【図１０Ａ】
2016539486.tif 000014
【図１０Ｂ】
2016539486.tif 000015
【国際調査報告】
2016539486.tif 000016
2016539486.tif 000017
2016539486.tif 000018